(57)【要約】【課題】  簡単な構成かつ分解容易なヘッドを提供する。【解決手段】  外部との電気接続を行うための第一の電気接点部材と電気接続端子を有した配線体との電気接続を行うための第２の電気接点部材が共に接続面に対して弾性を有している。【選択図】  図１
2007313786.tif 000002
【特許請求の範囲】
【請求項１】
記録を行うための記録素子を具備した記録素子基板に駆動信号を伝達するための電気接続端子を有する配線体とまた外部との電気的接続を行うための第1の電気接点部材と前記第1の電気接点部材と前記配線体の電気接続端子とを電気的に接続するための第2の電気接点部材を有する記録ヘッドであって、第1の電気接点部材と第2の電気接点部材の接点部は共に接続面に対して弾性を有していることを特徴とする記録ヘッド。
【請求項２】
前記配線体を保持固定するためのホルダ−部材を有し、前記第1の電気接点部材と第2の電気接点部材は前記ホルダ−部材に一体的に形成されていることを特徴とする請求項1に記載の記録ヘッド。
【請求項３】
前記配線体を前記ホルダ−部材に保持固定することによって前記配線体の電気接続端子と前記第2の電気接点部が圧接され電気的な接続を行うことを特徴とする請求項1または請求項2に記載の記録ヘッドの製造方法。
【発明の詳細な説明】
【技術分野】
【０００１】
本発明は、被記録材に記録をおこなう記録ヘッド、及び該記録ヘッドの製造方法に関するものである。
【背景技術】
【０００２】
現在、記録ヘッドを記録装置に設けられたキャリッジ上に搭載し、キャリッジを記録媒体の搬送方向と直交する方向に往復走査させることにより記録を行う、いわゆるシリアル型の記録装置が主流になっている。これは、シリアル型の記録装置が記録領域に比べて小さな記録ヘッドで画像を形成することが可能であり、記録装置の小型化及び低価格化が容易なためである。このようなシリアル型の記録装置では、キャリッジの移動中にもそのキャリッジ上の記録ヘッドと記録装置本体の制御手段との電気的な接続を維持する必要があるため、制御手段と記録ヘッドとは,可撓性を有するフレキシブルケーブルを介して電気的に接続される。
【０００３】
記録ヘッドと記録装置との電気的な接続には,ハンダによる接合や記録ヘッド側に設けたカ−ドエッジ基板を記録装置側ケ−ブルコネクターに挿入する方式、さらにはヘッド側の基板またはフレキシブルケ−ブルに設けられたパッドを本体側のコネクタピン及びゴムパッドに圧接して接続する方式がある。
【０００４】
しかしながら、ハンダにより電気接合する方法においては一度取り付けた記録ヘッドの取り外しがユ−ザ−では不可能であり、ユ−ザ−が異なる種類の記録ヘッドを使用したり、記録ヘッドが故障した場合に交換したりすることができない。
【０００５】
これに対しヘッド側の基板またはフレキシブルケ−ブルに設けられたパッドを本体側のコネクタピン及びゴムパッドに圧接して接続する方式においてはユ−ザ−が簡単に記録ヘッドを脱着したり装着したりすることが可能である。
【０００６】
なお、本発明に関連する先行技術文献には以下の文献が存在する
【特許文献１】特開２００４−２４９７０９号公報
【特許文献２】特開平１１−１３８８１４号公報
【特許文献３】特開平７−８１０４６号公報
【発明の開示】
【発明が解決しようとする課題】
【０００７】
しかしながら、ヘッド側に本体側のコネクタピンに圧接する基板やフレキシブルケ−ブルを配置する構成を形成するためには記録ヘッドの記録素子に直接接合したり、記録素子に電気的に接合された電気配線基板と圧接基板をワイヤ−ボンディングやインナ−リ−ドボンデイング、ハンダ付け、異方性導電シ−トによる接続などを行う必要があった。（図４にハンダ付けで接続された構成を示す）
従って電気的な接続に複雑な工程が必要でありコストアップを招いていた。また接合部は容易に分離することができないため接続不良が発生した場合の修理は困難である。
【０００８】
この課題に対し特許文献３に示す構成においては記録素子基板を実装している配線基板本体側のコネクタピンに圧接する基板にはリ−ドピンが接続されておりこのリ−ドピンは記録素子が搭載された配線基板と圧接され電気的な接続を行っている。
【０００９】
特許文献３の構成を用いた記録ヘッドの電気的な接続状態を図5に示した。
しかしながら図５に示すような構成においては外部との電気的な接続を行うために記録ヘッドを装着する装置側に記録ヘッド側の接続端子に接続できるコネクタ−が必要であるため本体コストＵＰの要因となる。
【００１０】
本発明は、上述した従来技術の問題点に鑑み、本体との着脱が容易で組立が容易な記録ヘッドとさらに安価な記録装置を提供することを目的とする。
【課題を解決するための手段】
【００１１】
上記目的を達成するために本発明は、
記録を行うための記録素子を具備した記録素子基板に駆動信号を伝達するための電気接続端子を有する配線体と外部と電気的接続を行うための第1の電気接点部材と前記第1の電気接点部材と前記配線体の電機接続端子とを電気的に接続するための第2の電気接点部材を有する記録ヘッドであって、第1の電気接点部材と第2の電気接点部材の接点部は共に接続面に垂直な方向に弾性を有していることを特徴としている。
【発明の効果】
【００１２】
本発明によれば、着脱が容易で電気的な接続信頼性が高く製造容易な記録ヘッドと安価な記録装置が提供出来る。
【発明を実施するための最良の形態】
【００１３】
以下、本発明の実施形態について図面を参照として説明する。
【００１４】
（実施形態１）
図１、図２は本発明の実施形態１の記録ヘッドを説明するための図であり、図１は本発明の実施形態１の記録ヘッドにおいて外部との電気接続部の側面の構成示す模式的側面図、図2は本発明の実施形態１の記録ヘッドにおいて外部との電気接続部の表面側構成示す模式的外観図である。
【００１５】
図１及び図２において、１０００は記録素子基板であり不図示の記録素子と記録素子に外部から駆動信号を与えるための電気接続部を有している。１１００は配線体であり、記録素子基板１０００と電気的な接続を行うための電気接続部（不図示）と外部との電気接続を行うための裏面電気接続端子１１１０を有している。１２００はコネクタ−であり外部との電気接続を行う第1の電気接点部材１２１０と配線体１１００の裏面電気接続端子１１１０との電気接続を行うための第2の電気接点部材を有している。１３００はホルダ−であり配線体１１００及びコネクタ−１２００を保持固定する形状を有している。
【００１６】
さらに本発明の特徴となる形態について記述する。
【００１７】
本例では図1に示すようにコネクタ−１２００は第1の電気接点部材１２１０と第2の電気接点部材１２２０が共にその電気接続面に垂直な方向に弾性を有する形状に形成されている。すなわちバネ性を持つような形状に形成されている。
【００１８】
よって本例の記録ヘッドはまずホルダ−１３００にコネクタ−１２００を位置決めして固定し、記録素子基板１０００を保持固定および電気的接続を行った配線体１１００を配線体裏面の裏面電気接続端子１１１０とコネクタ−１２００の第２の電気接点部材１２２０が正確な位置で接続されるように位置決めを行い互いに圧接固定することにより電気的な接続と機械的な固定を行うことができる。
【００１９】
この結果、少ない部品と少ない組立プロセスにより記録ヘッドが製造できるため製造コストの削減が可能であり、低コストの記録ヘッドの製造が可能である。
【００２０】
また記録ヘッド側に外部との電気接続を行うための弾性を有する電気接続部が形成されているため記録ヘッドを装着する装置側に特別なコネクタ−を配置する必要がなく簡単な電気接続パッド等を有する基板等があれば電気的な接続が行える。
【００２１】
従って記録ヘッドばかりでなく装置側の製造コストの削減が可能であり安価な記録装置を提供することができる。
【００２２】
（実施形態２）
本発明の実施形態２について図３を用いて説明する。
【００２３】
図３は本発明の実施形態２の記録ヘッドの模式的側面図である。また、ここでは実施形態１と同一の構成要素には同一符号を用い、その説明は割愛する。
【００２４】
この実施形態２は、コネクタ−として形成した第1の電気接点部材と第2の電気接点部材をホルダ−に組み込み一体的に形成したものである。
【００２５】
本実施形態の記録ヘッドは、実施形態１と同様に外部との電気接続を行うための第1の電気接点部材１２１０と配線体１１００との電気接続を行うための第2の電気接点部材１２２０が共に接続方向に対して弾性を有しているものである。
【００２６】
但し本実施例では第1の電気接点部材１２１０と第２の電気接点部材を構成している接続リ−ド部材１２３０をホルダ−１３００内部に組み込み一体的に形成した。一般的にホルダ−１３００の材料は樹脂であるためモ−ルド成型により形成される。また接続リ−ド部材１２３０の材料は金属であるため、プレス加工や切削加工、曲げ加工等により形成される。従ってあらかじめ加工された接続リ−ド部材１２３０をインサ−トするインサ−トモ−ルド成形で接続リ−ド部材１２３０とホルダ−１３００を一体的に形成したり、モ−ルド成形されたホルダ−１３００に加工された接続リ−ド部材１２３０を圧入したり接着等の固定手段により固定することによって接続リ−ド部材を配置し、接続リ−ド部材１２３０とホルダ−１３００を一体的に形成した。よってこの構成では記録素子基板１０００を保持固定した配線体１１００の裏面電気接続端子１１１０をホルダ−１３００に一体的に形成され露出した第2の電気接点部材とが接続できるように正確に位置決めし互いに圧接固定することによって電気的な接続を行うことができる。
【００２７】
以上より本実施形態においてはさらに少ない部品点数で簡単な製造プロセスにより記録ヘッドが製造できるため安価な記録ヘッドが提供できる。
【００２８】
また実施形態１と同様に記録ヘッド側に外部との電気接続を行うための弾性を有する電気接続部が形成されているため記録ヘッドを装着する装置側に特別なコネクタ−を配置する必要がなく簡単な電気接続パッドを有する基板等があれば電気的な接続が行える。
【００２９】
従って記録ヘッドばかりでなく装置側の製造コストの削減が可能であり安価な記録装置を提供することができる。
【図面の簡単な説明】
【００３０】
【図１】本発明の実施形態１の記録ヘッドを示す概略側面図である。
【図２】図１の第一の接続部の概略平面図である。
【図３】本発明の実施形態２の記録ヘッドを示す概略側面図である。
【図４】ハンダ接合を用いた従来の記録ヘッドの概略側面図である。
【図５】圧接を用いた従来の記録ヘッドの概略側面図である。
【符号の説明】
【００３１】
１０００  記録素子基板
１１００  配線体
１１１０  裏面電気接続端子
１２００  コネクタ−
１２１０  第1の電気接点部材
１２２０  第2の電気接点部材
１２３０  接続リ−ド部材
１２４０  電気接続パッド
１３００  ホルダ−
１４００  外部電気接続基板
１４１０  外部電気接続パッド
１５００  外部電気接続コネクタ-
１６００  ハンダ
【図１】
2007313786.tif 000003
【図２】
2007313786.tif 000004
【図３】
2007313786.tif 000005
【図４】
2007313786.tif 000006
【図５】
2007313786.tif 000007